(57)【要約】本発明は、携帯装置等に挿着される認証カードを提供する。認証カード１は携帯電話機３０に挿着され、認証カード２はＰＤＡ４０に挿着される。認証カード１は識別信号送信ユニット１０を備え、認証カード２は使用制限解除ユニット２０を備えている。ユニット１０および２０は、識別コードを無線信号により交換し、相互認証を行う。ＰＤＡ４０が携帯電話機３０から所定の距離よりも遠くに離れ、ユニット２０が受信するユニット１０の信号の受信レベルが所定の値より小さくなった場合、または、ユニット２０がユニット１０の識別コードを認証できなくなった場合には、ユニット２０はＰＤＡ４０への使用制限解除信号を停止する。これにより、ＰＤＡ４０は、たとえば内部メモリの内容を消去し、使用不能状態となる。その結果、ＰＤＡ４０の内部情報の第三者への流出が防止される。また、ユニット１０は、携帯電話機３０に警報信号を与え、ＰＤＡ４０が紛失、盗難等により手元にないことを所有者に通知する。
2004086294.tif 000002
【特許請求の範囲】
【請求項１】
所有者に携帯される携帯装置に取り付けられ、他の機器に取り付けられた機器側認証カードのワイヤレス認証を行う認証カードであって、
呼びかけ信号のデータ、該認証カードの識別コード、および前記機器側認証カードの識別コードを記憶する記憶部と、
前記記憶部に記憶された呼びかけ信号、または、前記記憶部に記憶された呼びかけ信号および該認証カードの識別コードを所定の送信レベルの無線信号で送信する送信部と、
前記送信部の送信の応答として前記機器側認証カードから無線信号で送信された前記機器側認証カードの識別コードを受信する受信部と、
前記受信部により受信された識別コードの受信レベルが所定の値以上であるかどうかを判定するとともに、前記受信部により受信された識別コードと前記記憶部に記憶された前記機器側認証カードの識別コードとが一致するかどうかを判定する判定部と、
前記判定部による判定の結果、前記受信部により受信された前記識別コードの受信レベルが前記所定の値より小さい場合または前記受信部により受信された識別コードと前記記憶部に記憶された前記機器側認証カードの識別コードとが一致しない場合には、前記携帯装置に警報信号を出力する警報部と、
を備えている認証カード。
【請求項２】
請求の範囲第１項において、
前記送信部が前記記憶部に記憶された呼びかけ信号のみを送信し、
前記判定部が、前記受信部により受信された前記識別コードの受信レベルが前記所定の値以上であり、かつ、前記受信部により受信された識別コードと前記記憶部に記憶された前記機器側認証カードの識別コードとが一致すると判断した場合には、前記記憶部に記憶された該認証カードの識別コードを所定の送信レベルの無線信号で送信する識別コード送信部をさらに備えている、
認証カード。
【請求項３】
請求の範囲第１項または第２項において、
前記呼びかけ信号はＭ系列信号、または、Ｃ／Ａコード、Ｐコード、もしくはリニアＦＭ信号を含む２値擬似不規則信号である、認証カード。
【請求項４】
請求の範囲第１項から第３項のいずれか１項において、
前記携帯装置に取り付けられることにより前記携帯装置と電気的接続を形成し、該電気的接続を形成することにより前記携帯装置の所定の信号のレベルを第１のレベルにし、前記携帯装置から取り外され該電気的接続が断たれることにより前記所定の信号のレベルを第２のレベルにする接続部をさらに備え、
前記携帯装置は、前記所定の信号のレベルが前記第２のレベルになることにより該携帯装置を使用不能状態にする、
認証カード。
【請求項５】
請求の範囲第４項において、
前記携帯装置は、前記使用不能状態として、前記携帯装置の電源から該携帯装置の構成要素への電力供給をオフにし、前記携帯装置への入力を受け付けない状態にし、または、前記携帯装置のメモリの内容を消去する、
認証カード。
【請求項６】
請求の範囲第１項から第５項のいずれか１項において、
前記認証カードはメモリスティック、ＳＤメモリカード、またはマルチメディアカードである、認証カード。
【請求項７】
情報機器、住宅の電子錠、および自動車の電子錠を含む機器に取り付けられ、所有者に携帯される携帯装置に取り付けられた携帯側認証カードのワイヤレス認証を行う認証カードであって、
呼びかけ信号のデータ、該認証カードの識別コード、および前記携帯側認証カードの識別コードを記憶する記憶部と、
前記携帯側認証カードからの無線信号を受信する受信部と、
所定の時間内に、前記受信部が無線信号を受信するかどうかの第１の判定を行うとともに、前記受信部が前記所定の時間内に無線信号を受信した場合には、前記記憶部に記憶された呼びかけ信号と一致する信号が該無線信号に含まれているかどうかの第２の判定および該無線信号の受信レベルが所定のレベル以上であるかどうかの第３の判定を行う第１の判定部と、
前記第１の判定部による判定の結果、前記第１から第３の判定の少なくとも１つが成立しない場合には、前記機器を使用不能状態にする信号を前記機器に出力する信号出力部と、
を備えている認証カード。
【請求項８】
請求の範囲第７項において、
前記受信部により受信された無線信号が呼びかけ信号のみを含む場合には、前記第１の判定部による前記第３の判定は、該呼びかけ信号の受信レベルが前記所定のレベル以上であるかどうかであり、前記受信部により受信された無線信号が呼びかけ信号および前記携帯側認証カードの識別コードを含む場合には、前記第１の判定部の前記第３の判定は、前記無線信号に含まれる前記携帯側認証カードの識別コードの受信レベルが前記所定のレベル以上であるかどうかである、
認証カード。
【請求項９】
請求の範囲第７項または第８項において、
前記判定部による判定のすべてが成立する場合に、前記記憶部に記憶された呼びかけ信号および該認証カードの識別コードを所定のレベルの無線信号により送信する送信部をさらに備えている、
認証カード。
【請求項１０】
請求の範囲第９項において、
前記送信部による送信の応答として前記携帯側認証カードから送信された前記携帯側認証カードの識別コードを受信する識別コード受信部と、
前記識別コード受信部により受信された識別コードが、前記記憶部に記憶された前記携帯側認証カードの識別コードと一致するかどうかを判定するとともに、該識別コードの受信レベルが所定のレベル以上であるかどうかを判定する第２の判定部と、
をさらに備え、
前記信号出力部は、前記第２の判定部による判定の結果、前記２つの判定の少なくとも１つが成立しない場合には、前記機器を使用不能状態にする信号を前記機器に出力する、
認証カード。
【請求項１１】
請求の範囲第７項から第１０項のいずれか１項において、
前記呼びかけ信号はＭ系列信号、または、Ｃ／Ａコード、Ｐコード、もしくはリニアＦＭ信号を含む２値擬似不規則信号である、認証カード。
【請求項１２】
請求の範囲第７項から第１１項のいずれか１項において、
前記機器に取り付けられることにより前記機器と電気的接続を形成し、該電気的接続を形成することにより前記機器の所定の信号のレベルを第１のレベルにし、前記機器から取り外され該電気的接続が断たれることにより前記所定の信号のレベルを第２のレベルにする接続部をさらに備え、
前記機器は、前記所定の信号のレベルが前記第２のレベルになることにより該機器を使用不能状態にする、
認証カード。
【請求項１３】
請求の範囲第７項から第１２項のいずれか１項において、
前記機器の使用不能状態には、前記装置のメモリの内容を消去し、前記機器の電源から該機器の構成要素への電力供給をオフにし、または前記機器への入力を受け付けない状態にすることが含まれる、
認証カード。
【請求項１４】
請求の範囲第７項から第１３項のいずれか１項において、
前記認証カードはメモリスティック、ＳＤメモリカード、またはマルチメディアカードである、認証カード。
【請求項１５】
所有者に携帯される携帯装置に取り付けられる第１の認証カードと、他の機器に取り付けられる第２の認証カードとを備え、該第１および第２の認証カードが相互認証を行うワイヤレス認証システムであって、
前記第１の認証カードは、
呼びかけ信号のデータ、該第１の認証カードの第１の識別コード、および前記第２の認証カードの第２の識別コードを記憶する第１の記憶部と、
前記第１の記憶部に記憶された呼びかけ信号、または、前記記憶部に記憶された呼びかけ信号および第１の識別コードを所定の送信レベルの無線信号で送信する第１の送信部と、
前記第１の送信部の送信の応答として前記第２の認証カードから無線信号で送信された前記第２の認証カードの識別コードを受信する第１の受信部と、
前記第１の受信部により受信された識別コードの受信レベルが所定の値以上であるかどうかを判定するとともに、前記第１の受信部により受信された識別コードと前記記憶部に記憶された前記第２の識別コードとが一致するかどうかを判定する第１の判定部と、
前記第１の判定部による判定の結果、前記第１の受信部により受信された前記識別コードの受信レベルが前記所定の値より小さい場合または前記第１の受信部により受信された識別コードと前記記憶部に記憶された前記第２の識別コードとが一致しない場合には、前記携帯装置に警報信号を出力する警報部と、
を備え、
前記第２の認証カードは、
呼びかけ信号のデータ、該第２の認証カードの第２の識別コード、および前記第１の認証カードの第１の識別コードを記憶する第２の記憶部と、
前記第１の認証カードからの無線信号を受信する第２の受信部と、
所定の時間内に、前記第２の受信部が無線信号を受信するかどうかの第１の判定を行うとともに、前記第２の受信部が前記所定の時間内に無線信号を受信した場合には、前記第２の記憶部に記憶された呼びかけ信号と一致する信号が該無線信号に含まれているかどうかの第２の判定および該無線信号の受信レベルが所定のレベル以上であるかどうかの第３の判定を行う第２の判定部と、
前記第２の判定部による判定の結果、前記第１から第３の判定の少なくとも１つが成立しない場合には、前記機器を使用不能状態にする信号を前記機器に出力する信号出力部と、
を備えているワイヤレス認証システム。
【発明の詳細な説明】
【技術分野】  本発明は、所有者に携帯される携帯装置に取り付けられ、他の機器に取り付けられた機器側認証カードのワイヤレス認証を行う認証カードに関する。また、本発明は、情報機器、住宅の電子錠、および自動車の電子錠を含む機器に取り付けられ、所有者に携帯される携帯装置に取り付けられた携帯側認証カードのワイヤレス認証を行う認証カードに関する。さらに、本発明は、所有者に携帯される携帯装置に取り付けられる第１の認証カードと、機器に取り付けられる第２の認証カードとが相互認証を行うワイヤレス認証システムに関する。
【背景技術】  近年、ＰＤＡ（Ｐｅｒｓｏｎａｌ  Ｄｉｇｉｔａｌ  Ａｓｓｉｓｔａｎｔ）、ノートパソコン等の携帯型情報機器が広く普及している。これらの携帯型情報機器には、それを使用する個人の情報や、その個人が所属する企業の情報等が多く蓄積される。
したがって、これらの携帯型情報機器が紛失、置き忘れ、盗難等によって第三者の手に渡った場合に、蓄積された情報が第三者に知られるのは好ましくなく、これを防止したいという要求が強くある。
また、自動車のキーレスエントリのように、鍵を使わず、電波を用いてワイヤレスでドアロックを施錠または解錠する場合に、ユーザは、自動車のキーに相当する携帯装置を携帯し、該携帯装置を使用して遠隔から無線信号により自動車のドアロックの施錠および解錠を操作する。
このようなキーレスエントリシステムでは、第三者が所有する携帯装置等によって、容易にドアの解錠または施錠が行われると、第三者が自動車の所有者になりすまし、自動車の盗難、悪戯等が容易に行われることとなり好ましくない。
このため、ワイヤレスにより自動車のドアロック等の装置を操作する場合に、第三者のなりすましや不正な操作を防止し、セキュリティを確実にする必要がある。
このような第三者のなりすましや不正な操作は、自動車のドアロックに限らず、上述したＰＤＡ（Ｐｅｒｓｏｎａｌ  Ｄｉｇｉｔａｌ  Ａｓｓｉｓｔａｎｔ）、ノートパソコンに加えて、自宅のドアロック、カメラ等の機器を遠隔で監視、操作等する携帯装置についても同様に防止される必要がある。したがって、これらの機器に対して無線により遠隔で監視、操作等する場合にも同様に、セキュリティを確実にする必要がある。
一方で、近年、携帯装置にオプションで挿着可能なメモリカード（メモリスティック、ＳＤメモリカード（登録商標）、マルチメディアカード等）が広く普及し、また、それを挿着可能とする携帯装置も普及し始めている。
このようなメモリカードに上記セキュリティを確実にするための機能を設けることにより、ユーザは既に所有している携帯電話等を使用して、簡単に高度なセキュリティを得ることができると考えられる。
【発明の開示】
本発明は、所有者に携帯される携帯装置に取り付けられ、他の機器に取り付けられた機器側認証カードのワイヤレス認証を行う認証カードを提供する。また、本発明は、情報機器、住宅の電子錠、および自動車の電子錠を含む機器に取り付けられ、所有者に携帯される携帯装置に取り付けられた携帯側認証カードのワイヤレス認証を行う認証カードを提供する。
本発明の第１の側面による認証カードは、所有者に携帯される携帯装置に取り付けられ、他の機器に取り付けられた機器側認証カードのワイヤレス認証を行う認証カードであって、呼びかけ信号のデータ、該認証カードの識別コード、および前記機器側認証カードの識別コードを記憶する記憶部と、前記記憶部に記憶された呼びかけ信号、または、前記記憶部に記憶された呼びかけ信号および該認証カードの識別コードを所定の送信レベルの無線信号で送信する送信部と、前記送信部の送信の応答として前記機器側認証カードから無線信号で送信された前記機器側認証カードの識別コードを受信する受信部と、前記受信部により受信された識別コードの受信レベルが所定の値以上であるかどうかを判定するとともに、前記受信部により受信された識別コードと前記記憶部に記憶された前記機器側認証カードの識別コードとが一致するかどうかを判定する判定部と、前記判定部による判定の結果、前記受信部により受信された前記識別コードの受信レベルが前記所定の値より小さい場合または前記受信部により受信された識別コードと前記記憶部に記憶された前記機器側認証カードの識別コードとが一致しない場合には、前記携帯装置に警報信号を出力する警報部と、を備えている。
本発明の第１の側面によると、認証カードの受信部により受信された識別コードの受信レベルが所定の値より小さい場合または受信部により受信された識別コードと記憶部に記憶された機器側認証カードの識別コードとが一致しない場合には、携帯装置に警報信号が送信される。すなわち、機器側認証カード（およびそれを取り付けた機器）が認証カードから遠くに離れて受信レベルが弱くなった場合や、認証カードが機器側認証カードを認証できない場合に、警報信号が携帯装置に与えられる。これにより、携帯装置の所有者は機器の紛失、盗難等を直ちに知ることができる。
好ましくは、前記認証カードは、前記携帯装置に取り付けられることにより前記携帯装置と電気的接続を形成し、該電気的接続を形成することにより前記携帯装置の所定の信号のレベルを第１のレベルにし、前記携帯装置から取り外され該電気的接続が断たれることにより前記所定の信号のレベルを第２のレベルにする接続部をさらに備え、前記携帯装置は、前記所定の信号のレベルが前記第２のレベルになることにより該携帯装置を使用不能状態にする。
本発明の第２の側面による認証カードは、情報機器、住宅の電子錠、および自動車の電子錠を含む機器に取り付けられ、所有者に携帯される携帯装置に取り付けられた携帯側認証カードのワイヤレス認証を行う認証カードであって、呼びかけ信号のデータ、該認証カードの識別コード、および前記携帯側認証カードの識別コードを記憶する記憶部と、前記携帯側認証カードからの無線信号を受信する受信部と、所定の時間内に、前記受信部が無線信号を受信するかどうかの第１の判定を行うとともに、前記受信部が前記所定の時間内に無線信号を受信した場合には、前記記憶部に記憶された呼びかけ信号と一致する信号が該無線信号に含まれているかどうかの第２の判定および該無線信号の受信レベルが所定のレベル以上であるかどうかの第３の判定を行う第１の判定部と、前記第１の判定部による判定の結果、前記第１から第３の判定の少なくとも１つが成立しない場合には、前記機器を使用不能状態にする信号を前記機器に出力する信号出力部と、を備えている。
本発明の第２の側面によると、所定の時間内に、受信部が無線信号を受信しない場合、または、受信部が所定の時間内に無線信号を受信した場合において、記憶部に記憶された呼びかけ信号と一致する信号が該無線信号に含まれていないときもしくは該無線信号の受信レベルが所定のレベルより小さいときは、機器を使用不能状態にする信号が機器に出力される。これにより、機器が、置き忘れ、紛失、盗難等により携帯装置から遠くに離れた場合や、機器が携帯装置を認証できなくなった場合に、機器は直ちに使用不能にされ、機器に記憶された情報の第三者への流出が防止される。
好ましくは、前記認証カードは、前記機器に取り付けられることにより前記機器と電気的接続を形成し、該電気的接続を形成することにより前記機器の所定の信号のレベルを第１のレベルにし、前記機器から取り外され該電気的接続が断たれることにより前記所定の信号のレベルを第２のレベルにする接続部をさらに備え、前記機器は、前記所定の信号のレベルが前記第２のレベルになることにより該機器を使用不能状態にする。
本発明の第３の側面によるワイヤレス認証システムは、所有者に携帯される携帯装置に取り付けられる第１の認証カードと、他の機器に取り付けられる第２の認証カードとを備え、該第１および第２の認証カードが相互認証を行うワイヤレス認証システムであって、前記第１の認証カードは、呼びかけ信号のデータ、該第１の認証カードの第１の識別コード、および前記第２の認証カードの第２の識別コードを記憶する第１の記憶部と、前記第１の記憶部に記憶された呼びかけ信号、または、前記記憶部に記憶された呼びかけ信号および第１の識別コードを所定の送信レベルの無線信号で送信する第１の送信部と、前記第１の送信部の送信の応答として前記第２の認証カードから無線信号で送信された前記第２の認証カードの識別コードを受信する第１の受信部と、前記第１の受信部により受信された識別コードの受信レベルが所定の値以上であるかどうかを判定するとともに、前記第１の受信部により受信された識別コードと前記記憶部に記憶された前記第２の識別コードとが一致するかどうかを判定する第１の判定部と、前記第１の判定部による判定の結果、前記第１の受信部により受信された前記識別コードの受信レベルが前記所定の値より小さい場合または前記第１の受信部により受信された識別コードと前記記憶部に記憶された前記第２の識別コードとが一致しない場合には、前記携帯装置に警報信号を出力する警報部と、を備え、前記第２の認証カードは、呼びかけ信号のデータ、該第２の認証カードの第２の識別コード、および前記第１の認証カードの第１の識別コードを記憶する第２の記憶部と、前記第１の認証カードからの無線信号を受信する第２の受信部と、所定の時間内に、前記第２の受信部が無線信号を受信するかどうかの第１の判定を行うとともに、前記第２の受信部が前記所定の時間内に無線信号を受信した場合には、前記第２の記憶部に記憶された呼びかけ信号と一致する信号が該無線信号に含まれているかどうかの第２の判定および該無線信号の受信レベルが所定のレベル以上であるかどうかの第３の判定を行う第２の判定部と、前記第２の判定部による判定の結果、前記第１から第３の判定の少なくとも１つが成立しない場合には、前記機器を使用不能状態にする信号を前記機器に出力する信号出力部と、を備えている。
【図面の簡単な説明】  図１は、本発明の実施の形態による認証カードの使用例を示す。
図２は、送信ユニットの詳細な構成を示すブロック図である。
図３は、解除ユニット２０の構成例を示すブロック図である。
図４は、一致・加算回路の詳細構成例である。
図５は、識別信号と送信タイミングの説明図である。
図６は、識別番号の構成内容の説明図である。
図７は、パルス圧縮信号とパルス圧縮処理の説明図である。
図８は、受信信号の検波波形と確認信号の関係の説明図である。
図９は、受信信号レベルと信号レベル判定区間の説明図である。
図１０（Ａ）および（Ｂ）は、使用制限解除ユニットが設けられた機器の電源をオフにする回路の構成を示すブロック図である。
図１１は、本発明の第２の実施の形態による認証カードの送信ユニットおよび認証カードの解除ユニットの概略構成を示すブロック図である。
図１２は、演算処理部および無線処理部のより具体的な構成例を示すブロック図である。
図１３は、演算処理部および無線処理部のより具体的な構成例を示すブロック図である。
図１４は、送信ユニットの処理の流れを示すフローチャートである。
図１５は、解除ユニットの処理の流れを示すフローチャートである。
図１６は、送信ユニットと解除ユニットとの間で通信されるデータおよび通信タイミングを示すタイムチャートである。
図１７は、認証カードをホームセキュリティに使用した例を示す。
図１８は、自動車のドライバ（所有者）に携帯される自動車キーに認証カードが挿着され、自動車Ｃのドアロックに認証カードが挿着された例を示す。
【発明を実施するための最良の形態】  図１は、本発明の実施の形態による認証カードの使用例を示している。認証カードには、親側の認証カード１と子側の認証カード２とがあり、図１では、親側の認証カード１が携帯電話機３０に挿着（装填）され、子側の認証カード２が携帯型情報機器の一例としてのＰＤＡ（Ｐｅｒｓｏｎａｌ  Ｄｉｇｉｔａｌ  Ａｓｓｉｓｔａｎｔ）４０に挿着（装填）される例が示されている。
なお、携帯電話機３０およびＰＤＡ４０には、認証カード１および２をそれぞれ挿着するためのスロットが設けられている。また、携帯電話機３０およびＰＤＡ４０の所有者は一般に同一人である。
認証カード１は、メモリカード（たとえばメモリスティック、マルチメディアカード、ＳＤメモリカード（登録商標）等）１００に、無線通信機能を有する識別信号送信ユニット（キーモジュール）１０が取り付けられ、または、内蔵されたものである。認証カード２も、同様にして、メモリカード２００に、無線通信機能を有する使用制限解除ユニット（ベースモジュール）２０が取り付けられ、または、内蔵されたものである。
認証カード１および２は、この無線通信機能を有する識別信号送信ユニット（以下、単に「送信ユニット」という。）１０および使用制限解除ユニット（以下、単に「解除ユニット」という。）２０により、一定の時間間隔（たとえば１秒間隔、２秒間間隔等）で相互に識別情報を無線で交換し合い、相互認証する。
両認証カード１と２との間の距離が所定の距離（たとえば２〜３メートル）内の場合には、両認証カード１および２は、相互認証を行うことができ、この相互認証によって、認証カード２の解除ユニット２０はＰＤＡ４０の使用制限を解除し、ＰＤＡ４０を使用可能状態にする。これにより、所有者はＰＤＡ４０を使用することができる。
一方、認証カード２が挿着されたＰＤＡ４０が、たとえば紛失、置き忘れ、盗難等によって、認証カード１から上記所定の距離よりも遠くに離れ、または、認証カード１と２との間で交換される識別情報が一致しないことから、相互認証が行えない場合には、認証カード２の解除ユニット２０は、ＰＤＡ４０の使用制限を行い、ＰＤＡ４０を使用不能とする。この使用不能には、たとえばＰＤＡ４０のメモリの内容を消去したり、ＰＤＡ４０の電源をオフ状態にしてオンできないようにしたり、入力を受け付けない状態にする等がある。これにより、ＰＤＡ４０に記憶された情報の第三者への流出が防止される。
認証カード１は、認証カード２が上記所定の距離よりも遠くに離れ、または、識別情報が一致しないことから、相互認証が行えない場合には、携帯電話機３０を介して警報は発し、携帯電話機３０の所有者に、ＰＤＡ４０が携帯電話機３０（認証カード２）から所定の距離以上離れたことを通知する。これにより、所有者は、ＰＤＡ４０が紛失、置き忘れ、盗難等により自己の手元にないことを直ちに知ることができる。
また、認証カード１が携帯電話機３０から抜き取られると、携帯電話３０は自らを使用不能状態にする。この使用不能状態には、携帯電話機３０の電源をオフ状態にしてオンできないようにしたり、入力を受け付けない状態にしたりする等が含まれる。認証カード２がＰＤＡ４０から抜き取られた場合にも、同様にして、ＰＤＡ４０は自らを使用不要状態にする。この使用不能には、たとえばＰＤＡ４０のメモリの内容を消去したり、ＰＤＡ４０の電源をオフ状態にしてオンできないようにしたり、入力を受け付けない状態にする等がある。
このように、認証カード２は、メモリカード本来の機能である付加的なメモリとして機能する一方、ＰＤＡ４０の使用制限解除装置（ないしは使用制限装置）としても機能する。また、認証カード１は、携帯電話機３０の付加的なメモリカードとして機能する一方、ＰＤＡ４０の紛失等を通知する通知装置、携帯電話機３０の使用制限装置（または使用制限解除装置）としても機能する。
認証カード１および２のうち、メモリカード１００および２００の部分は、通常のメモリカードと同様の構成を有するので、ここではその説明を省略し、以下では、送信ユニット１０および解除ユニット２０の詳細について、第１および第２の実施の形態に分けて説明する。
＜第１の実施の形態＞
図２は、送信ユニット１０の詳細な構成を示すブロック図である。この送信ユニット１０は、認証カード１が携帯電話機３０に挿着されることにより、携帯電話機３０の電源部（バッテリーパックと電源レギュレータ）１８（またはメモリカード１００が電源部を有する場合にはその電源部）から電力を供給され、作動する。
送信ユニット１０は、送信アンテナ１０Ｔから予め設定された固有のコード信号を含む識別信号を送信する送信器１５ｂと、後で説明する解除ユニット２０の送信器から送り返される確認信号を受信アンテナ１０Ｒを介して受信する受信器１１ａとを備えている。
識別信号を送信する送信系は、送受信制御タイマ１３ａの指令で識別コードメモリ１３ｂに設定されている識別信号を送り出し、ＦＳＫ変調回路１５ａで搬送波によりＦＳＫ変調（２５０ＭＨｚ）した後、送信器１５ｂから識別信号の送信信号を送り出す。
なお、電源制御回路１４は、送受信制御タイマ１３ａの指令によりスイッチ１８ａをオン／オフし、携帯電話機３０の電源部１８からの電力が、信号送信時にのみ送信ユニット１０に供給されるようにしている（送受信制御タイマ１３ａには電源部１８から常時電力が供給されている）。このようにすることにより、携帯電話機３０またはメモリカード１００の電源部１８の電力消費を削減することができる。
解除ユニット２０からの確認信号を受信する受信系は、受信器１１ａの後に次のような構成要素が接続されている。まず受信した確認信号（２５０ＭＨｚ）はＦＳＫ復調回路１１ｂによりＦＳＫ復調され、一致・加算回路１１ｃへ送られる。そして一致・加算回路１１ｃは、識別コードメモリ１３ｂに予め記憶されている識別信号を読み出し、確認信号がこの識別信号と一致しているかどうかを判断するために識別信号の各ビット毎の一致点を加算処理する。
加算処理された出力信号（パルス圧縮信号、これについても後で説明する）は閾値処理部１１ｄへ出力される。閾値処理部１１ｄは、この出力信号を、閾値設定部１１ｄ’に予め設定された閾値（スレッシュホールド値）と比較し、出力信号が閾値を超えていればタイミング信号を信号有無判定部１２ｂへ送る。
一方、受信器１１ａにより受信された確認信号は、信号レベル検出回路１２ａへも送られ、この検出回路１２ａで検出された信号レベルを表わす信号が信号有無判定部１２ｂへ送られる。この信号有無判定部１２ｂへは、上記の他にもＦＳＫ復調回路１１ｂからの確認信号と識別コードメモリ１３ｂからの識別コード信号も入力される。
信号有無判定部１２ｂは、確認信号と識別コード信号が一致しているかどうかを判定し、かつ閾値処理部１１ｄからのタイミング信号を受けた後一定時間ｔ内に受信する確認信号の信号レベルが一定値以上であるかどうかを判定する。信号有無判定部１２ｂは、これら２つの判定が共に成立する限り出力信号を発しないが、上記一致判定が成立するも信号レベルが一定値以下と判定したときは警報信号を出力する。この警報信号は、認証カード１と携帯電話機３０との接続部から携帯電話機３０に与えられ、携帯電話機３０は、警報信号の受信により、警報を発する。この警報は、たとえばスピーカによる警報音、表示装置への警報の表示等によって発せられる。
図３は、解除ユニット２０の構成例を示すブロック図である。解除ユニット２０は、認証カード２がＰＤＡ４０に挿着されることにより、ＰＤＡ４０の電源部（バッテリーパックと電源レギュレータ）２８（またはメモリカード２００が電源部を有する場合にはその電源部）から電力を供給され、作動する。
この解除ユニット２０は、基本的には、図２の送信ユニット１０と大略同じであるが、部分的には若干異なり、以下ではその異なる部分を中心に説明する。
信号有無判定部２２ｂは、送信ユニット１０から送られた識別信号に基づいて信号の有無を判定し、識別信号を受信している限り何ら信号を出力しない。この点は送信ユニット１０と同じである。一方、使用制限解除信号発生部２６は、信号有無判定部２２ｂの出力信号がなければ、常に使用制限解除信号を発生し、識別信号を受信しなくなると信号有無判定部２２ｂからの出力信号により信号発生部２６からの解除信号の送信を停止させる点が異なっている。
また、電源部２８の電力は送受信制御タイマ２３ａによる制御を受けず、各構成部に常に送られている。これは、後で説明するように、送信ユニット１０が識別信号をいつ送信しても、常に解除ユニット２０が受信でき、その信号に基づいて識別信号の有無を判断した後、送受信制御タイマの指令で確認信号を送信系から常に一定間隔で送り返すことができるようにするためである。
その他の構成要素は、基本的に図２の送信ユニット１０と同じであり、同じ構成要素には２０番台で同じ末尾符号の番号を付して説明を省略する。
各構成要素の説明では、送信ユニット１０からの識別信号は、予め設定された固有のコード信号を含む信号としているが、図６に示すように、この識別信号はＭ系列（Ｍａｘｉｍｕｍ  ｌｅｎｇｔｈ  ｎｕｌｌ  ｓｅｑｕｅｎｃｅ）信号（Ｍ系列データ）とその後に続く携帯電話機３０の電話番号（以下単に「電話番号」という）の固有コード信号とから成る。識別番号として、Ｍ系列信号を電話番号以外にも含ませたのは、後で説明するように、識別番号を受信した際にその受信信号が自己の携帯電話機のものであるかを認識する特有の回路処理の際に都合のよい信号とするためである。
なお、この識別信号はＭ系列信号と電話番号信号とを単位とし任意の時間間隔Ｓ秒（例えば１秒、２秒等）毎に繰り返す間欠的な信号として送信される。これは節電のためであり、バッテリの消耗を防止し安定して長時間の送信を可能にするためである。Ｍ系列信号は、Ｃ／Ａコード、Ｐコード、リニアＦＭ信号などとしてもよい。また、固有コード信号としての電話番号は、携帯電話機以外の機器では他のＩＤ番号、その他の所有者、管理者の情報を表わす信号などとしてもよい。
Ｍ系列信号は、２値擬似不規則信号の１種であり、２のｎ乗から１を減じた長さ、即ち（２ｎ−１）の長さを持つ１と０からなる符号列（コード）であって、例えばｎ＝５であれば３１ビットの信号である。このＭ系列信号を一致・加算回路１１ｃへ送ると、図７の符号Ｂで示すパルス圧縮信号が得られる。このパルス圧縮では入力信号であるＭ系列信号は１／３１の信号圧縮が行われる。
また、固有コード信号は、携帯電話機の販売台数分が必要であるが、ｍビットの長さの符号長とすれば２ｍ種類が可能であり、例えばｍ＝３０とすると約１０億種類の固有コード信号が可能である。この実施形態では固有コード信号は電話番号としているが、他のＩＤ番号でもよいことは勿論である。Ｍ系列信号と固有コード信号を予め識別信号として識別コードメモリに格納しておけば、置き忘れや盗難時の無断使用を効果的に防止することができる。
図４は、識別信号が送信ユニット１０から送信され、解除ユニット２０により受信された後、これに基づいて解除ユニット２０から一定時間経過後に同じ信号が確認信号として送り返され、これを送信ユニット１０で受信した信号を送信ユニット１０の一致・加算回路１１ｃでパルス圧縮処理される構成の詳細を示す。
ＦＳＫ復調回路１１ｂが確認信号を復調すると、その確認信号のうち先頭のＭ系列信号が、図３では図示省略しているシフトレジスタ１１ｓに一時的に記憶される。
このシフトレジスタ１１ｓに書き込まれたＭ系列信号は一致・加算回路１１ｃへ送られる。一致・加算回路１１ｃは、識別コードメモリ１３ｂに予め記憶されている記憶データのうちからＭ系列信号を読み出し、両Ｍ系列信号が各ビット毎に一致しているかどうかを比較し、一致しているビット数を加算する。
一致・加算処理された信号は、パルス圧縮信号として一致・加算回路１１ｃから出力される。なお、この例ではシフトレジスタ１１ｓは３１ビットの記憶能力を有する一方、識別コードメモリ１３ｂはＭ系列信号（３１ビット）と固有コード信号（２９ビット）の両方を記憶するため、６０ビットの記憶容量を有する。したがって、両Ｍ系列信号の処理の際には、識別コードメモリ１３ｂの６０ビットのうちＭ系列信号のデータ部分である３１ビットが呼び出されるものとする。
以下、送信ユニット１０の作用および解除ユニット２０の作用について説明する。まず、認証カード１が携帯電話機３０に挿着されると、携帯電話機３０の電源部の電力が供給され、送受信制御タイマ１３ａが直ちにセットされる。そして、送受信制御タイマ１３ａからの信号により、電源制御回路１４はスイッチ１８ａを閉じる。これにより、電源部１８から各部へ電力が供給される。
図５（ａ）、（ｂ）のタイムチャートに示すように、電源の供給がＯＮになった後２ｍｓ経過すると制御タイマ１３ａの指令により識別コードメモリ１３ｂから識別信号が読み出されＦＳＫ変調回路１５ａで変調された後、送信器１５ｂから送信アンテナ１０Ｔを介して送信が行われる。
識別信号の送信は、前述したように、３１ビットのＭ系列信号とそれに続く固有の電話番号を示す２９ビットの固有コード信号をＦＳＫ変調して行われる。
送信ユニット１０からの識別信号の送信信号が所定レベル以上で解除ユニット２０で受信され、かつ識別信号が自己のものであるとして認識されると、解除ユニット２０から識別信号と同じ送信信号が送り返され、確認信号として送信ユニット１０により受信される。
この送信と受信のタイミングは、図５（ａ）〜（ｃ）に示す通りであり、送信ユニット１０の電源は、起動（２ｍｓ）＋送信（６ｍｓ）＋ラグタイム（２ｍｓ）＋送り返し（６ｍｓ）＋ラグタイム（２ｍｓ）＝合計１８ｍｓの間ＯＮとされる。
その後、一定時間経過後最初の電源ＯＮから例えば２０００ｍｓとなる一定時間でＯＮとなるように制御タイマ１３ａで送信タイミングがコントロールされる。送信ユニット１０で送信された信号が同時に送信ユニット１０の受信器１１ａで受信されても後で説明するその後の処理が行なわれないためその受信信号に基づいて警報回路１６へ警報信号が送られることはないなど本来の受信信号として作用せず、確認信号と区別される。
一方、解除ユニット２０から所定のタイミングで送り返される確認信号が受信器１１ａで受信されると、ＦＳＫ復調回路１１ｂで復調された後、一致・加算回路１１ｃでパルス圧縮処理されることについては既に図４を参照して説明した。このパルス圧縮処理では確認信号のうち図７（ａ）に示す記号ＡのＭ系列信号がパルス圧縮処理されるが、一致・加算処理される信号は記号Ｂで示すように、シフトレジスタ１１ｓにＭ系列信号のパルス列が完全に書き込まれる以前、またはその後においてもその途中で各ビット毎のデータが識別コードメモリのＭ系列信号記憶データの対応する各ビットの値に部分的に合致するためパルス圧縮信号はその値が常に変動する。
しかし、シフトレジスタ１１ｓに自己の識別コードメモリ１３ｂに記憶されているＭ系列信号と一致するデータが書き込まれると、一致・加算回路１１ｃで一致加算処理されるビット数がシフトレジスタ１３ｓの全ビット数３１について全て成立すればパルス圧縮信号は３１となりＭ系列信号は完全一致と、あるいは少なくとも一致・加算されるビット数が２４以上であれば両Ｍ系列信号は一致しているとみなすことができる。
そこで、閾値処理部１１ｄではパルス圧縮処理信号が閾値設定部１１ｄ’で予め設定される閾値（スレッシュホールド値）、例えば２４以上であるかを判断し（図７（ｂ）参照）、閾値を超えていると判断されると図７（ｃ）のようなタイミング信号を信号有無判定部１２ｂへ出力する。
また、前述したように受信器１１ａで受信した受信信号の信号レベルを信号レベル検出回路１２ａで検出し、その信号レベルが一定値以上か否かを信号有無判定部１２ｂで判定する。この信号レベルの判定は、図８（ａ）に示す検波波形の受信信号に対しある電圧の閾値を設け、それ以上のレベルであれば一定レベル以上の信号を受信したと判定する。
上記判定は、図９（ａ）に示すように、一定の強度で送信された信号を受信する際に送信ユニット１０と解除ユニット２０の間の距離Ｒが大きくなるとその距離の２乗に反比例して受信信号レベルが下がることに基づいており、その１つの判定方法として所定の距離（例えば１ｍ）に対応して上記閾値を定めておき、受信した信号レベルが閾値以下になれば所定の距離以上両者は離れたことを検出することができる。なお、図９（ａ）は対数目盛で表わされている。
上記判定方法に代えて、上述した受信信号の検波波形をＡ／Ｄ変換して受信信号の電圧レベルを測定することにより受信信号のレベルを知るようにしてもよい。
上記信号レベルの判定は、上述したＭ系列信号に対する閾値処理後のタイミング信号を閾値処理部１１ｄから送られて来た後に受信する固有コード信号に対応する一定時間ｔ（図示の例では２．９ｍｓ）のみを対称として行う。その理由は、ノイズや他の電話器からの信号レベルを検出しないようにするためであり、タイミング信号によって特定された一定時間を判定区間とすることにより判定を正確に行うことができるからである。
信号有無判定部１２ｂにおける判定は、上記信号レベルの判定以外にも、タイミング信号が入力された後に受信されＦＳＫ変調された固有コード信号が識別コードメモリに記憶されている固有コード信号と一致しているかについても行われる。したがって、信号有無判定部１２ｂでは、タイミング信号の入力があり、その後一定時間に所定レベルの受信信号を受信し、かつその受信した固有コード信号が自己の固有コード信号に一致していることが判定されると、送信ユニット１０から解除ユニット２０は一定距離内に存在することとなり、信号有無判定部１２ｂは何ら信号も出力しない。
しかし、タイミング信号の入力があり、固有コード信号が自己のものと一致したとしても、信号レベルが一定レベル以下であれば解除ユニット２０が送信ユニット１０から一定距離以上離れたこととなり、この場合には、信号有無判定部１２ｂは警報信号を携帯電話機３０に出力する。
携帯電話機３０では、例えば“置いてかないで”という音声メッセージをスピーカ（図示略）で発生させて警告を与えることにより、ＰＤＡ４０（解除ユニット２０）が置き忘れ、盗難等により手元から離れたことについて所有者に警告を与える。
なお、警告は上記音声メッセージを与える方式以外にもピーという警告音、あるいはこれと共に“置いてかないで”という表示を表示器に表示するなど警告が何らかの手段で与えられる方式のものであればどの方式のものでもよい。また、上記自己の識別コード信号の確認信号以外の信号を受信したとしても、上述した３つの条件のいずれか、またはいくつかが成立しないから、信号有無判定部１２ｂは出力信号を出力することはなく、送信ユニット１０の受信動作には何ら影響しないことは説明するまでもないであろう。
次に、解除ユニット２０の作用は次の通りである。前述したように、解除ユニット２０はＰＤＡ４０に挿着されることにより、携帯電話機３０の電源スイッチがＯＮ、ＯＦＦいずれであるかに拘らず常に電源部２８から各構成要素へ電力が供給されている。したがって、送信ユニット１０から識別信号が送信されるとほぼ同時に、この識別信号は解除ユニット２０の受信器２１ａで受信される。
受信された識別信号がＦＳＫ復調回路２１ｂで復調され、一致・加算回路２１ｃへ送られて閾値処理部２１ｄからＭ系列信号に基づくタイミング信号が信号有無判定部２２ｂへ送られる点も同じである。さらに、受信した信号の信号レベルを信号レベル検出回路２２ａで検出し、上記タイミング信号が信号有無判定部２２ｂへ送られて来る一定の判定時間ｔ内に信号レベルが一定レベル以上であるかを判定することも同じである。
また、判定時間中に信号有無判定部２２ｂは送信されて来た信号が識別コードメモリ２３ｂに予め記憶されている自己の固有コード信号と一致しているかを判定する点も送信ユニット１０の場合と同じである。しかし、この解除ユニット２０の信号有無判定部２２ｂでは上記タイミング信号と、２つの判定で共に信号レベルが一定以上、固有コード信号が一致するという３つの条件が揃っているときは何ら出力信号を出力しない。
上記出力信号がない限り解除ユニット２０、したがってＰＤＡ４０は送信ユニット１０から離れることなく所有者の手元にあるとして使用制限解除信号発生部２６から使用制限解除信号が常に出力されている。したがって、携帯電話機３０はいつでも使用可能の状態に置かれている。
なお、識別信号を受信して信号有無判定部２２ｂで信号有無の判定処理に一定時間（この例では２ｍｓ）が経過すると、その瞬間に信号有無判定部２２ｂからの信号で送受信制御タイマ２３ａがセットされ、受信した識別信号と全く同一の信号が識別コードメモリ２３ｂから読み出され、ＦＳＫ変調回路２５ａ、送信器２５ｂを介して送信される。この信号が前述したように送信ユニット１０で確認信号として受信される。
しかし、万一置き忘れや盗難のため解除ユニット２０がＰＤＡ４０と共に送信ユニット１０から一定距離以上離れると、上記信号レベルの検出において信号レベルが一定以下となり信号有無判定部２２ｂは識別信号を受信していないと判定する。この判定が行なわれると、信号有無判定部２２ｂから出力信号が出力され、解除信号発生部２６からＰＤＡ４０に与えられる使用解除信号の出力が停止される。これにより、ＰＤＡ４０は使用不能状態になる。
この使用不能状態には、前述したように、ＰＤＡ４０の内部メモリの消去、電源をオフ状態にする等がある。たとえば、ＰＤＡ４０の内部メモリの消去は、使用解除信号の停止（たとえば信号レベルがローレベルになる）により、ＰＤＡ４０のＣＰＵに割り込み信号が入力され、この割り込み信号により、メモリ消去プログラムがＰＤＡ４０のＣＰＵにより実行されることによって行われる。このメモリ消去プログラムは、認証カード２のメモリカード２００にあらかじめ記憶され、認証カード２の挿着時にメモリカード２００からＰＤＡ４０にダウンロードされてもよいし、ＰＤＡ４０の内部メモリにあらかじめ記憶されていてもよい。
また、ＰＤＡ４０の電源をオフ状態にする場合には、たとえば図１０（Ａ）または（Ｂ）に示すようにＰＤＡ４０のレギュレータ２９を制御することにより行うことできる。図１０（Ａ）に示すように、ＰＤＡ４０のレギュレータ２９に、レギュレータ２９のイネーブル／ディセーブル（ｅｎａｂｌｅ／ｄｉｓａｂｌｅ）を制御するＥｎａｂｌｅ端子が存在する場合には、使用解除信号の停止により、ＰＤＡ４０は、このＥｎａｂｌｅ端子に入力される信号をローレベル（ディセーブルにするレベル）にする。これにより、レギュレータ２９から出力される電力が停止し、ＰＤＡ４０はオフ状態になる。あるいは、使用制限解除信号の停止が使用制限解除信号をハイレベルからローレベルにする動作である場合には、使用制限解除信号をそのまま制御信号として直接レギュレータ２９に入力することもできる。
また、図１０（Ｂ）に示すように、レギュレータ２９がイネーブル／ディセーブルを制御するＥｎａｂｌｅ端子を有しない場合には、レギュレータ２９のＶｃｃの出力側にＭＯＳスイッチ２９ａを設け、このＭＯＳスイッチ２９ａに制御信号を入力し、電源のオン／オフ制御を行うことができる。
なお、使用不能状態として、ＰＤＡ４０のメモリ消去か、電源オフ状態かを所有者が選択できる構成とすることもできるし、デフォルトの選択としてメモリ消去をあらかじめ設定しておくこともできる。
以上のように、この実施形態では、携帯電話機３０に送信ユニット１０を有する認証カード１が挿着されて所有者または使用者がポケットなどに携帯電話機３０を入れ、ＰＤＡ４０に解除ユニット２０を有する認証カード２を挿着し、両認証カードを一体のものとして使用するようにしたから、送信ユニット１０から解除ユニット２０と共にＰＤＡ４０が一定距離以上離れるとＰＤＡ４０の使用を制限して不測の無断使用、情報の流出などを防止することができる。また、所有者または使用者には、携帯電話機３０を介して音声などによる警告が与えられ、ＰＤＡ４０が手元から離れたことについて直ちに認識できる。
さらに、前述したように、認証カード１が携帯電話機３０から抜き取られると、携帯電話３０は自らを使用不能状態にする。この使用不能状態には、携帯電話機３０の電源をオフ状態にしてオンできないようにしたり、入力を受け付けない状態にしたりする等が含まれる。同様にして、認証カード２がＰＤＡ４０から抜き取られた場合にも、ＰＤＡ４０は自らを使用不要状態にする。この使用不能には、たとえばＰＤＡ４０のメモリの内容を消去したり、ＰＤＡ４０の電源をオフ状態にしてオンできないようにしたり、入力を受け付けない状態にする等がある。
たとえば、認証カードと携帯電話機３０またはＰＤＡ４０とを接続するコネクタ端子の中で、認証カードが挿着されている場合にはハイレベル、抜き取られることによりローレベル（接地レベル）になる端子を設け、この端子がローレベルになることにより、メモリ消去プログラムが起動され、あるいは、電源をオフ状態にする等が可能である。電源をオフ状態にする場合については、図１０（Ａ）または（Ｂ）で説明したように、レギュレータのイネーブル端子またはＭＯＳスイッチにより達成することができる。
なお、上記実施形態では使用制限の対象機器としてＰＤＡ４０を例として説明したが、対象機器としてはこの他にもワードプロセッサ、パーソナルコンピュータ、各種ゲーム機、自動車、金庫等各種の機器がある。また、信号伝達媒体として電波を用いる場合について説明したが、これ以外に超音波や光等を用いてもよい。
＜第２の実施の形態＞
図１１は、本発明の第２の実施の形態による認証カード１の送信ユニット１０および認証カード２の解除ユニット２０の概略構成を示すブロック図である。
送信ユニット１０は、演算処理部１１０、無線処理部１２０、およびインタフェース部１３０を有する。無線処理部１２０には、無線通信用のアンテナ１５が取り付けられる。解除ユニット２０も、送信ユニット１０と同様の構成を有し、演算処理部２１０、無線処理部２２０、およびインタフェース部２３０を有し、無線処理部２２０には、無線通信用のアンテナ２５が取り付けられる。
インタフェース部１３０は、携帯電話機３０との接続部（たとえばコネクタ等）を構成し、メモリカード１００の携帯電話機３０との接続部が兼用されてもよい。たとえば、メモリカード１００がＳＤメモリカード（登録商標）の場合には、携帯電話機３０とのシリアルインタフェース（ＲＳ２３２Ｃ等）がインタフェース部１３０と兼用されてもよい。インタフェース部２３０についても同様である。
図１２は、演算処理部１１０および無線処理部１２０のより具体的な構成例を示すブロック図である。この構成例では、演算処理部１１０がＣＰＵ（マイクロプロセッサ）１１０ａおよびメモリ１１０ｂに対応し、無線処理部１２０がたとえばＩＣチップにより構成されるＲＦＩＣ１２０ａ、プリアンプ１２０ｂ、および帯域フィルタ１２０ｃに対応する。なお、メモリ１１０ｂは、メモリカード１００のメモリ（たとえばフラッシュメモリ）の一部が使用されてもよいし、演算処理部１１０（マイクロプロセッサ１１０ａ）専用のメモリ（たとえばＥＥＰＲＯＭ等）として別に設けられてもよい。
メモリカード１００として、コントローラを搭載するカード（たとえばＳＤメモリカード（登録商標）等）が使用される場合には、この搭載されたコントローラが演算処理部１１０を兼用することができるし、コントローラとは別に演算処理部１１０を設けることもできる。
図１３は、演算処理部２１０および無線処理部２２０のより具体的な構成例を示すブロック図である。この構成例でも、同様にして、演算処理部２１０がＣＰＵ（マイクロプロセッサ）２１０ａおよびメモリ２１０ｂに対応し、無線処理部２２０がＲＦＩＣ２２０ａ、プリアンプ２２０ｂ、および帯域フィルタ２２０ｃに対応する。なお、メモリ２１０ｂは、メモリカード２００の一部が使用されてもよいし、演算処理部２１０（マイクロプロセッサ２１０ａ）専用のメモリ（ＥＥＰＲＯＭ）として別に設けられてもよい。
なお、動作クロック信号を供給するために、マイクロプロセッサ１１０ａには水晶発振器１１０ｃが、マイクロプロセッサ２１０ａには水晶発振器２１０ｃがそれぞれ取り付けられ、ＲＦＩＣ１２０ａには水晶発振器１２０ｄが、ＲＦＩＣ２２０ａには水晶発振器２２０ｄがそれぞれ取り付けられる。
演算処理部１１０（マイクロプロセッサ１１０ａの端子ＶＣＣ）、無線処理部１２０（ＲＦＩＣ１２０ａの端子ＶＣＣ）等には、認証カード１が携帯電話機３０に挿着されることにより、携帯電話機３０の図示しない電源装置（バッテリーパックと電源レギュレータ）から電力が供給される。同様にして、演算処理部２１０（マイクロプロセッサ２１０ａの端子ＶＣＣ）、無線処理部２２０（ＲＦＩＣ２２０ａの端子ＶＣＣ）等には、認証カード２がＰＤＡ４０に挿着されることにより、ＰＤＡ４０の図示しない電源装置（バッテリーパックと電源レギュレータ）から電力が供給される。
これらの電力は、メモリカード１００および２００に電源装置（たとえばボタン電池等と電源レギュレータ）が設けられる場合には、この電源装置から供給されてもよい。
メモリ１１０ｂには、演算処理部１１０（マイクロプロセッサ１１０ａ）により実行されるプログラム、Ｍ系列データ（Ｍ系列信号）、認証カード１の識別コード、認証カード２の識別コード等があらかじめ記憶されている。
演算処理部１１０（マイクロプロセッサ１１０ａ）は、このプログラムを実行して、子側の認証カード２の認証処理を実行する。メモリ１１０ｂに記憶されたプログラムやデータは、たとえば１６ビットデータとして読み出され、マイクロプロセッサ１１０ａの端子Ｄ０〜Ｄ１５から入力される。
無線処理部１２０（ＲＦＩＣ１２０ａ）は、演算処理部１１０から与えられるＭ系列データ、識別コード等をＦＳＫ変調し、変調後の信号を出力する。この変調後の信号は、ＲＦＩＣ１２０ａの端子Ｔｘｏｕｔから出力され、帯域フィルタ１２０ｃを介してアンテナ１５から無線信号（ＲＦ信号）により送信される。
また、無線処理部１２０（ＲＦＩＣ１２０ａ）は、アンテナ１５により無線信号で受信されたＭ系列データ、識別コード等を帯域フィルタ１２０ｃおよびプリアンプ１２０ｂを介して端子ＲＸｉｎから入力する。無線処理部１２０（ＲＦＩＣ１２０ａ）は、受信された信号をＦＳＫ復調し、復調後の信号をディジタルデータとして演算処理部１１０（マイクロプロセッサ１１０ａ）に与える。
Ｍ系列データ、識別コード等のデータは、たとえばマイクロプロセッサ１１０ａの端子ＤＩＯ４とＲＦＩＣ１２０ａの端子ＤＩＯとの間で送受信される。
無線処理部１２０（ＲＦＩＣ１２０ａ）の端子ＰＤＡＴＡには、演算処理部１１０（マイクロプロセッサ１１０ａ）の端子ＤＩＯ１からプログラムデータ（制御パラメータを規定するデータ）が与えられる。このプログラムデータは、たとえば、無線処理部１２０（ＲＦＩＣ１２０ａ）の送信周波数、送信信号レベル（送信電力）、受信感度、変調周波数、ビットレート等のデータである。プログラムデータは、識別送信ユニット１の立ち上げ処理（ブート処理）時に演算処理部１１（マイクロプロセッサ１１０ａ）から無線処理部１２０（ＲＦＩＣ１２０ａ）に与えられ、無線処理部１２０（ＲＦＩＣ１２０ａ）内に設定される。
無線処理部１２０（ＲＦＩＣ１２０ａ）の端子ＰＣＬＫには、演算処理部１１０（マイクロプロセッサ１１０ａ）の端子ＤＩＯ２からクロック信号が入力される。
無線処理部１２０（ＲＦＩＣ１２０ａ）の端子ＰＡＬＥには、演算処理部１１０（マイクロプロセッサ１１０ａ）の端子ＤＩＯ３からラッチイネーブル信号が入力される。このラッチイネーブル信号は、演算処理部１１０（マイクロプロセッサ１１０ａ）の無線制御用のパラメータを書き込むアドレスを指定するときに使用される。
無線処理部１２０（ＲＦＩＣ１２０ａ）の端子ＲＳＳＩから演算処理部１１０（マイクロプロセッサ１１０ａ）の端子ＣＭＰｏｒＡＤＣ（端子ＣＭＰとは信号レベルの比較を行う対象の信号を入力する端子、端子ＡＤＣとはＡ／Ｄ変換したいアナログ信号を入力する端子、以下端子ＣＭＰ（「ＣＭＰ」と略す）で説明を代表する、）には、受信信号のレベル（受信レベル）を表す信号が与えられる。この受信レベルは、無線処理部１２０（ＲＦＩＣ１２０ａ）が、解除ユニット２０から受信した信号の強度（すなわち信号電力）を示し、無線処理部１２０（ＲＦＩＣ１２０ａ）により検出される。
認証カード２のメモリ２１０ｂには、演算処理部２１０（マイクロプロセッサ２１０ａ）により実行されるプログラム、Ｍ系列データ、認証カード２の識別コード、認証カード１の識別コード等があらかじめ記憶されている。
演算処理部２１０（マイクロプロセッサ２１０ａ）は、メモリ２１０ｂに記憶されたプログラムを実行して、認証カード１の認証処理を実行する。これらプログラムやデータは、たとえば１６ビットデータとして読み出され、演算処理部２１０（マイクロプロセッサ２１０ａ）の端子Ｄ０〜Ｄ１５から入力される。
演算処理部２１０（マイクロプロセッサ２１０ａ）と無線処理部２２０（ＲＦＩＣ２２０ａ）との間で通信されるデータは、認証カード１の演算処理部１１０（マイクロプロセッサ１１０ａ）と無線処理部１２０（ＲＦＩＣ１２０ａ）との間で通信されるデータと同様であるので、ここではその説明を省略する。
次に、認証カード１と認証カード２との間で行われる相互認証処理について説明する。
本実施の形態の相互認証処理では、第１の実施の形態と異なり、送信ユニット１０がまずＭ系列信号を解除ユニット２０への呼びかけ信号として解除ユニット２０に送信し、これに応答して、解除ユニット２０がＭ系列信号および識別コードを送信し、さらにその応答として、送信ユニット１０が識別信号を送信する認証形態について説明する。
図１４は、送信ユニット１０の処理の流れを示すフローチャートである。図１５は、解除ユニット２０の処理の流れを示すフローチャートである。図１６は、送信ユニット１０と解除ユニット２０との間で通信されるデータおよび通信タイミングを示すタイムチャートである。
送信ユニット１０の演算処理部１１０（マイクロプロセッサ１１０ａ）は、携帯電話機３０に挿着されて電力供給を受けると、所定の時間間隔Ｓ（たとえば１秒間隔、２秒間隔等）でサーチモードに移行し（Ｓ１でＹ）、メモリ１１０ｂに記憶されたＭ系列データを、演算処理部１１０（マイクロプロセッサ１１０ａ）の端子ＤＩＯ４から無線処理部１２０（ＲＦＩＣ１２０ａ）の端子ＤＩＯに直ちに与える。
無線処理部１２０（ＲＦＩＣ１２０ａ）は、演算処理部１１０（マイクロプロセッサ１１０ａ）から与えられたＭ系列信号をＦＳＫ変調して、所定のレベル（送信電力）の無線信号によりアンテナ１５から送信する（Ｓ２）。このＭ系列信号の送信時間ｔＴＭはたとえば数ミリ秒である。
Ｍ系列信号の送信後、送信ユニット１０は、所定の待ち受け時間ｔＲＭの間、解除ユニット２０から送信されるＭ系列データの受信待ち状態になる（Ｓ３）。この待ち受け時間ｔＲＭは、解除ユニット２０から送信されるＭ系列データの送信時間ｔＴＭと同じ値に設定され、数ミリ秒である。待ち受け時間ｔＲＭの間、信号が受信されないと（Ｓ３でＮ）、演算処理部１１０（マイクロプロセッサ１１０ａ）は、携帯電話機３０に警報信号を発する（Ｓ９）。この警報信号は、たとえば端子ＤＩＯ７またはＤＩＯ８から出力され、インタフェース部１３０を介して携帯電話機３０の処理部（ＣＰＵ等）に与えられる。これにより、携帯電話機３０は、警報音をスピーカから出力し、または、警報通知を表示装置に表示し、所有者に警告を与える。
一方、解除ユニット２０の演算処理部２１０（マイクロプロセッサ２１０ａ）および無線処理部２２０（ＲＦＩＣ２２０ａ）は、ＰＤＡ４０から電力供給を受けることにより、常時、Ｍ系列データの受信待ち状態（待ち受けモード）にある（Ｓ２１）。そして、無線処理部２２０（ＲＦＩＣ２２０ａ）がＭ系列データを受信すると、無線処理部２２０（ＲＦＩＣ２２０ａ）は、受信したＭ系列データを、端子ＤＩＯから演算処理部２１０（マイクロプロセッサ２１０ａ）の端子ＤＩＯ４を介して演算処理部２１０（マイクロプロセッサ２１０ａ）に与えるとともに、Ｍ系列データの受信レベルを端子ＲＳＳＩから演算処理部２１０（マイクロプロセッサ２１０ａ）の端子ＣＭＰを介して演算処理部２１０（マイクロプロセッサ２１０ａ）に与える。
演算処理部２１０（マイクロプロセッサ２１０ａ）は、端子ＤＩＯ４から入力されたＭ系列データと、メモリ２１０ｂに記憶されているＭ系列データとを比較し、両Ｍ系列データの一致するビット数が所定の閾値（所定の受信レベル）以上であるかどうかを判断する。所定の閾値（所定の受信レベル）は、たとえば、Ｍ系列データが３１ビットの場合には２４に設定される。
また、演算処理部２１０（マイクロプロセッサ２１０ａ）は、端子ＣＭＰから入力された受信レベルの値を所定の閾値（所定の受信レベル）と比較する。この所定の閾値（所定の受信レベル）は、送信ユニット１０と解除ユニット２０との間の所定の距離（たとえば数メートル）に対応した受信レベルの値に設定される。受信レベルと距離との関係は、第１の実施の形態で説明したように、受信レベルが距離の２乗に反比例することから求められる。
演算処理部２１０（マイクロプロセッサ２１０ａ）は、両Ｍ系列データの一致するビット数が閾値（所定の受信レベル）以上であり、かつ、受信レベルが閾値（所定の受信レベル）以上である場合には、Ｍ系列データを受信したと判断し（Ｓ２１でＹ）、待ち受けモードから認証モードに移行する。
そして、演算処理部２１０（マイクロプロセッサ２１０ａ）は、メモリ２１０ｂに記憶されたＭ系列データ（すなわち解除ユニット２０のＭ系列データ）を、無線処理部２２０（ＲＦＩＣ２２０ａ）を介して無線信号により送信するとともに（Ｓ２２）、Ｍ系列データの送信に続いて、解除ユニット２０の識別コード（メモリ２１０ｂに記憶されたもの）を無線処理部２２０（ＲＦＩＣ２２０ａ）を介して無線信号により送信する（Ｓ２３）。
一方、演算処理部２１０（マイクロプロセッサ２１０ａ）は、両Ｍ系列データの一致するビット数が閾値（所定の受信レベル）未満であるか、または、受信レベルが閾値（所定の受信レベル）未満である場合には、Ｍ系列データを受信していないと判断する（Ｓ２１でＮ）。
Ｍ系列データを受信していない場合には、演算処理部２１０（マイクロプロセッサ２１０ａ）は、前述した時間Ｓが経過したかどうかを内蔵されたタイマ（図示略）等により判断し（Ｓ２８）、時間Ｓが経過していない場合には、待ち受けモードを継続し、Ｍ系列データの受信待ち状態となる（Ｓ２１）。一方、時間Ｓ内にＭ系列データが受信されない場合には（Ｓ２８でＹ）、演算処理部２１０（マイクロプロセッサ２１０ａ）は、端子ＤＩＯ７またはＤＩＯ８からインタフェース部２３０を介してＰＤＡ４０に信号を出力し（信号のレベルをローレベルからハイレベルまたはハイレベルからローレベルにし）、ＰＤＡ４０を使用不能状態にする（Ｓ２９）。
この使用不能状態には、第１の実施の形態と同様に、ＰＤＡ４０のメモリの内容を消去したり、電源をオフ状態にしたり、入力を受け付けない等がある。たとえば、メモリの内容を消去する場合には、第１の実施の形態において説明したように、認証カード２０のメモリカード２００に記憶されたメモリ消去プログラムが挿着とともにＰＤＡ４０にダウンロードされ、端子ＤＩＯ７またはＤＩＯ８の信号がＰＤＡ４０のＣＰＵに割り込み信号として与えられ、この割り込み信号によりＣＰＵがメモリ消去プログラムを実行することにより、メモリ内容が消去される。
また、ＰＤＡ４０の電源をオフ状態にする方法として、第１の実施の形態と同様に、図１０（Ａ）または（Ｂ）に示す方法がある。この場合には、たとえばＤＩＯ７またはＤＩＯ８端子の信号を制御信号として与え、この制御信号をローレベルにすることにより、ＰＤＡ４０に供給される電力をオフにすることができる。
送信ユニット１０の無線処理部１２０（ＲＦＩＣ１２０ａ）は、ステップＳ２のＭ系列データの送信後、待ち受け時間ｔＲＭの間に解除ユニット２０からのＭ系列データを受信すると、受信したＭ系列データを端子ＤＩＯから演算処理部１１０（マイクロプロセッサ１１０ａ）の端子ＤＩＯ４を介して演算処理部１１０（マイクロプロセッサ１１０ａ）に与える。また、無線処理部１２０（ＲＦＩＣ１２０ａ）は、Ｍ系列データの受信レベルを端子ＲＳＳＩから演算処理部１１０（マイクロプロセッサ１１０ａ）の端子ＣＭＰを介して演算処理部２１０（マイクロプロセッサ２１０ａ）に与える。
演算処理部１１０（マイクロプロセッサ１１０ａ）は、端子ＤＩＯ４から入力されたＭ系列データと、メモリ１１０ｂに記憶されたＭ系列データとを比較し、両Ｍ系列データの一致するビット数が所定の閾値（所定の受信レベル）以上であるかどうかを判断する。所定の閾値（所定の受信レベル）は前述した解除ユニット２０のものと同様である。また、演算処理部１１０（マイクロプロセッサ１１０ａ）は、端子ＣＭＰから入力された受信レベルを所定の閾値（所定の受信レベル）と比較する。この所定の閾値（所定の受信レベル）も前述した解除ユニット２０のものと同様である。
演算処理部１１０（マイクロプロセッサ１１０ａ）は、両Ｍ系列データの一致するビット数が所定の閾値（所定の受信レベル）以上であり、かつ、受信レベルが所定の閾値（所定の受信レベル）以上である場合には、Ｍ系列データを受信したと判断し（Ｓ３でＹ）、サーチモードから認証モードに移行する。そして、演算処理部１１０（マイクロプロセッサ１１０ａ）は、Ｍ系列データの後に続いて受信される解除ユニット２０の識別コードおよびその受信レベルを無線処理部１２０（ＲＦＩＣ１２０ａ）から受け取り（Ｓ６でＹ）、受け取った識別コードと、メモリ１１０ｂに記憶された解除ユニット２０の識別コードとを照合するとともに、識別コードの受信レベルが所定の閾値（所定の受信レベル）以上であるかどうかを判定する（Ｓ５）。この所定の閾値（所定の受信レベル）は、Ｍ系列データの受信レベルの閾値（所定の受信レベル）と同じである。
両識別コードが一致し、かつ、受信レベルが閾値（所定の受信レベル）以上であると（Ｓ６でＹ）、演算処理部１１０（マイクロプロセッサ１１０ａ）は解除ユニット２０を認証する。そして、演算処理部１１０（マイクロプロセッサ１１０ａ）は、メモリ１１０ｂに記憶された送信ユニット１０の識別コードを無線処理部１２０（ＲＦＩＣ１２０ａ）を介して解除ユニット２０に送信する（Ｓ９）。
一方、演算処理部１１０（マイクロプロセッサ１１０ａ）は、ステップＳ３において、両Ｍ系列データの一致するビット数が所定の閾値（所定の受信レベル）未満であるか、または、受信レベルが所定の閾値（所定の受信レベル）未満である場合には、Ｍ系列データを受信していないと判断し（Ｓ３でＮ）、携帯電話機３０に警報信号を出力する。また、演算処理部１１０（マイクロプロセッサ１１０ａ）は、ステップＳ４において、解除ユニット２０の識別コード信号を受信しない場合（Ｓ４でＮ）、または、ステップＳ６において、両識別コードが一致していない場合、もしくは、識別コードの受信レベルが閾値（所定の受信レベル）未満である場合にも（Ｓ６でＮ）、携帯電話機３０に警報信号を出力する。
解除ユニット２０の無線処理部２２０（ＲＦＩＣ２２０ａ）は、識別コード信号の送信（Ｓ２３）後、送信ユニット１０から送信された識別コード信号を受信すると（Ｓ２４でＹ）、受信した識別コード信号およびその受信レベルを演算処理部２１０（マイクロプロセッサ２１０ａ）に与える。
演算処理部２１０（マイクロプロセッサ２１０ａ）は、無線処理部２２０（ＲＦＩＣ２２０ａ）から与えられた識別コードと、メモリ２１０ｂに記憶された送信ユニット１０の識別コードとを照合するとともに、識別コードの受信レベルが所定の閾値（所定の受信レベル）（Ｍ系列データの受信レベルの閾値（所定の受信レベル）と同じ）以上であるかどうかを判定する（Ｓ２５）。
そして、両識別コードが一致し、かつ、識別コードの受信レベルが閾値（所定の受信レベル）以上であると（Ｓ２６でＹ）、演算処理部２１０（マイクロプロセッサ２１０ａ）は、送信ユニット１０を認証する。この認証が成立することにより、ＰＤＡ４０の使用制限が解除され（解除状態が維持され）、ＰＤＡ４０は使用可能となる。一方、識別コードが一致しない場合または受信レベルが所定の閾値より小さい場合には、演算処理部２１０（マイクロプロセッサ２１０ａ）は、ＰＤＡ４０を使用不能状態にする（Ｓ２９）。
このような送信ユニット１０および解除ユニット２０における認証モードの動作は１回（すなわちＮ＝１）だけ行われてもよいし、好ましくは複数回（Ｎ＞１）行われる。認証モードの動作が複数回行われる場合には、２回目以降は、Ｍ系列データの送受信を省略し、識別コードのみを交換することができる。したがって、２回目以降では、送信ユニット１０においてステップＳ４から処理が繰り返され、解除ユニット２０において、ステップＳ２３から処理が繰り返される。
このように認証動作を複数回繰り返すことにより、送信ユニット１０および解除ユニット２０は、相互をより確実に認証（相互認証）することができ、セキュリティのレベルを高くすることができる。
なお、認証モードの動作が複数回行われる場合には、各回で送信ユニット１０から送信される送信ユニット１０の識別コードは同じものであってもよいし、異なるものであってもよい。同様にして、各回で解除ユニット２０から送信される解除ユニット２０の識別コードも同じものであってもよいし、異なるものであってもよい。
識別コードを異ならせる場合には、たとえば、図１６において、第１回目の識別コードの送受信では、送信ユニット１０および解除ユニット２０とも、それぞれ自己の識別コードを送信し、相互に認証する。
第２回目の識別コードの送受信では、解除ユニット２０は、送信ユニット１０との間であらかじめ定められ、メモリ２１０ｂに記憶された復号化鍵Ｋｓを解除ユニット２０の識別コードとして送信する。送信ユニット１０は、この復号化鍵Ｋｓと送信ユニット１０のメモリ１１０ｂに記憶された復号化鍵とを照合し、両復号化鍵が一致する場合には、解除ユニット２０を認証する。
認証後、送信ユニット１０は、自己の識別コードを復号化鍵Ｋｓにより暗号化し、暗号化した識別コードを自己の識別コードとして解除ユニット２０に送信する。解除ユニット２０は、送信ユニット１０から送信された暗号化識別コードを復号化鍵Ｋｓにより復号化して、送信ユニット１０の識別コードを得、この識別コードとメモリ２１ｂに記憶された送信ユニット１０の識別コードとを照合する。解除ユーザ２０は、両識別コードが一致し、かつ、送信ユニット１０からの受信レベルが所定のレベル以上であった場合に送信ユニット１０を認証し、使用制限を解除する。識別コードが一致しない場合または受信レベルが所定のレベルより小さい場合には、機器の使用制限を行う。
このように複数回（ここでは２回）の認証を行うことにより、セキュリティのレベルを高くすることができるとともに、認証コードを各回で変更することにより、第三者に認証コードを容易に知られることを防止できる。
認証モードの後、送信ユニット１０の演算処理部１１０（マイクロプロセッサ１１０ａ）はステップＳ１に戻り、時間Ｓの経過後、再びステップＳ２からの処理を繰り返す。同様にして、解除ユニット２０の演算処理部２１０（マイクロプロセッサ２１０ａ）も認証モードの後、ステップＳ２１に戻り、待ち受けモードとなる。これにより、時間間隔Ｓで認証処理が繰り返し行われるというフルタイム認証が行われ、相互認証が成立するとＰＤＡ４０は使用可能状態を維持し、相互認証が成立しない場合には使用不能状態となる。その結果、紛失、盗難等によるＰＤＡ４０からの情報の流出を防止することができる。なお、時間Ｓは、ＰＤＡ４０からの情報の流出を有効に防止する観点から、これまで述べたように数秒〜数十秒程度であることが好ましい。
＜認証カードの他の使用例＞
次に、本発明の実施の形態による認証カードの他の使用例について説明する。図１７は、認証カードをホームセキュリティに使用した例を示している。
所有者Ｐは携帯電話機３０を所持し、この携帯電話機３０には、親側の認証カード１が挿着されている。一方、図示は省略するが、子側の認証カード２は、所有者Ｐの住宅Ｈの玄関ドアのドアロック（電子錠）に挿着されている。認証カード１の送信ユニット１０および認証カード２の解除ユニット２０は、ともに第１の実施の形態のものでも、第２の実施の形態のものでもよい。
認証カード２は、第三者による抜き取り等を防止するために、玄関ドアの内側において挿着されることが好ましい。
認証カード１が挿着された携帯電話機３０を所持携帯する所有者Ｐが住宅Ｈを出て、認証カード２から所定の距離（たとえば数メートル）よりも遠くに移動すると、前述したように、認証カード１の送信ユニット１０と認証カード２の解除ユニット２０との相互認証が行えなくなる。これにより、解除ユニット２０は使用制限解除信号を停止し、ドアロックは解錠不能状態（施錠状態）になる。一方、帰宅する場合や在宅の場合において、送信ユニット１０と解除ユニット２０とが所定の距離内になると、送信ユニット１０と解除ユニット２０との相互認証が行われる。これにより、解除ユニット２０は、ドアロックに使用制限解除信号を与え、ドアロックは施錠および解錠の操作可能な状態になる。
送信ユニット１０と解除ユニット２０とが所定の距離内に存在し、相互認証が行われている状態において、送信ユニット１０は操作コマンドを解除ユニット２０に送信することができる。たとえば、ドアロックの状態（施錠されているかどうか）や、ドアロックがガスコンロ、照明器具、エアコン等の機器にホームネットワークを介して接続されている場合にはこれらの機器の状態を要求するコマンドを送信ユニット１０は送信することができる。また、これらの機器を遠隔操作するコマンドを送信することもできる。
解除ユニット２０は、送信ユニット１０から送信された操作コマンドをドアロックやホームネットワークに接続された機器に送信することもでき、コマンドの実行結果を送信ユニット１０に返信することもできる。たとえば、操作コマンドがドアロックの状態要求コマンドの場合には、ドアロックの施錠状態または解錠状態が送信ユニット１０に返信される。
操作コマンドは、所有者Ｐが携帯電話機３０の入力キーを操作することにより、まず携帯電話機３０に入力され、携帯電話機３０から送信モジュール１０に与えられる。コマンド実行結果は、送信ユニット１０に受信された後、送信ユニット１０から携帯電話機３０に与えられ、携帯電話機３０の表示装置に表示される。これにより、所有者Ｐは住宅内の機器の遠隔操作を携帯電話機３０により行うことができ、また遠隔操作結果を携帯電話機３０を介して確認することができる。
これら操作コマンドおよびコマンド実行結果の送信は、相互認証が行われてから、次の相互認証が行われるまでの間を利用して行うことができる。
図１８は、自動車Ｃの運転者（所有者）Ｄに携帯される自動車キー５０に認証カード１（図１８に図示略）が挿着され、自動車Ｃのドアロックに認証カード２（図１８に図示略）が挿着された例を示している。
運転者Ｄが自動車キー５０を携帯して、自動車Ｃから所定の距離よりも遠くに離れると、認証カード１と２との相互認証が行えなくなり、認証カード２の解除ユニット２０は自動車のドアロックを解錠不能状態（施錠状態）にする。一方、運転者Ｄが所定の距離内に接近すると、送信ユニット１０と解除ユニット２０との相互認証が可能となり、解除ユニット２０はドアロックを施錠および解錠操作可能にする。
また、上記ホームセキュリティの場合と同様に、解所ユニット２０がドアロックに加えて自動車Ｃの搭載機器（カーエアコン、カーステレオ等）と接続される場合には、これらドアロックや搭載機器の状態を送信ユニット１０に送信し、送信ユニット１０は自動車キー５０の表示装置に状態を表示することもできる。
このように認証カード１および２は、種々のセキュリティに利用することができる。
【産業上の利用の可能性】
本発明は、携帯電話、ＰＤＡ、ノートパソコン、カメラ、自動車キー、ドアロック等に挿着可能なメモリカードに利用することができる。
【図１】
2004086294.tif 000003
【図２】
2004086294.tif 000004
【図３】
2004086294.tif 000005
【図４】
2004086294.tif 000006
【図５】
2004086294.tif 000007
【図６】
2004086294.tif 000008
【図７】
2004086294.tif 000009
【図８】
2004086294.tif 000010
【図９】
2004086294.tif 000011
【図１０】
2004086294.tif 000012
【図１１】
2004086294.tif 000013
【図１２】
2004086294.tif 000014
【図１３】
2004086294.tif 000015
【図１４】
2004086294.tif 000016
【図１５】
2004086294.tif 000017
【図１６】
2004086294.tif 000018
【図１７】
2004086294.tif 000019
【図１８】
2004086294.tif 000020
【国際調査報告】
2004086294.tif 000021
2004086294.tif 000022
2004086294.tif 000023
2004086294.tif 000024